(57)【特許請求の範囲】
【請求項１】
ケーブルチャネル内にケーブル又は電線の束を支持し保持するための２部材装置であって、
内部に細長凹部を有する支持面、及び前記凹部を横切って前記凹部上を延びるケーブルタイ用のバーを有し、ケーブルタイ用のチャネルを前記バーの下に画定する支持部材と、
前記ケーブルチャネルの床に固定するための手段を有するベースを有する基部材と
を具備し、
前記支持部材は、前記基部材に固定可能であり、
前記基部材は、前記ベース上に該ベースを横切って延びるケーブルタイバーを有し、
前記基部材の前記ケーブルタイバーは、前記支持部材の前記バーの直ぐ下に嵌るよう形状が設定され且つ配置され、
ケーブルタイが前記支持部材の凹んだ開口を通って前記バー及び前記ケーブルタイバーの周囲を通過し、前記支持部材の前記支持面にケーブル又は電線の束を固定することを特徴とする装置。
【請求項２】
前記ケーブルチャネルの床に固定するための手段は、前記基部材の前記ベースを貫通してリベット等を受容する少なくとも１個の孔を具備することを特徴とする請求項１記載の装置。
【請求項３】
前記支持部材は、摩擦又はスナップ嵌めにより前記基部材に固定可能であることを特徴とする請求項１又は２記載の装置。
【請求項４】
前記基部材は、環状凹部により取り囲まれた１対のリベット孔を前記ベースに有し、
前記支持部材は、前記環状凹部と係合する前記支持部材の下面の環状突起により、前記基部材に固定可能であることを特徴とする請求項１ないし３のうちいずれか１項記載の装置。
【請求項５】
前記支持部材及び前記基部材は細長の形状をなし、
前記細長凹部は、前記支持部材及び前記基部材に対して縦に延びていることを特徴とする請求項１ないし４のうちいずれか１項記載の装置。
【請求項６】
前記支持部材の前記バーは、前記支持面の縦方向に対して横切って延びると共に、中間点で前記支持面上に位置することを特徴とする請求項５記載の装置。
【請求項７】
前記支持面は、前記バーの両側で該バーから離れる方向に上方へ傾斜することを特徴とする請求項６記載の装置。
【請求項８】
前記支持面は、前記バーの各端部から前記支持部材の縦方向に対して横切る方向に下方へ湾曲することを特徴とする請求項６又は７記載の装置。
【請求項９】
前記支持部材の幅は、縦方向に沿って前記バーから前記支持部材の縦端まで大きくなることを特徴とする請求項５ないし８のうちいずれか１項記載の装置。
【請求項１０】
請求項１ないし９のうちいずれか１項記載の装置を用いてケーブルチャネルにケーブル又は電線の束を固定する方法であって、
前記装置の前記基部材を前記ケーブルチャネルの前記床に固定する工程と、
前記装置の前記支持部材を前記基部材に嵌める工程と、
前記支持部材の前記支持面に横たわるように前記チャネルにケーブル又は電線の束を載置する工程と、
前記２部材装置の前記バー及び前記ケーブルタイバーの下且つ前記ケーブル又は電線の束の周囲に、前記支持面の前記細長凹部にケーブルタイを通過させる工程と、
前記装置の前記支持部材及び前記基部材に前記ケーブル又は電線の束を固定するように前記ケーブルタイの両端を固定する工程と
を具備することを特徴とする、ケーブルチャネルにケーブル又は電線の束を固定する方法。
【発明の詳細な説明】
【技術分野】
【０００１】
本発明は、細長のチャネル内にケーブル又は電線の束を支持し保持するための装置、例えば航空機内の複雑な電力供給システムにおいて特定に実用性を有する装置に関する。
【背景技術】
【０００２】
複雑な電力供給システムにおいて、ケーブルタイにより長さに沿った所定間隔で一緒に締め付けられた電線の束は、システムの他の部品との絡まり、損傷又は相互作用を防止するためにダクトすなわちチャネル内に保持される。組立中、電線は、一端から細長のダクト内に送られ、又は開放チャネル内に保持される。後者の配置はいくつかの最新のシステムでは好まれる。
【発明の開示】
【発明が解決しようとする課題】
【０００３】
このような開放チャネルを用いることにより、アクセス及び維持管理が容易になるが、擦過傷又は他の損傷のリスクを最小限にしながらチャネル内に電線を保持するために、付加手段を設けなければならない。
【課題を解決するための手段】
【０００４】
本発明の第一の態様によればチャネル内にケーブル又は電線の束を支持し保持するための２部材装置が提供される。この装置は、内部に細長凹部を有する支持面、及びその凹部を横切ってその凹部上を延びるケーブルタイバーを有し、ケーブルタイ用のチャネルをバーの下に画定する支持部材と、ケーブルチャネルの床に固定するための手段を有するベースを有する基部材とを具備する。支持部材は、例えば摩擦又はスナップ嵌めにより基部材に固定可能であり、基部材もそのベース上にそのベースを横切って延びるケーブルタイバーを有し、基部材のケーブルタイバーは、支持部材のケーブルタイバーの直ぐ下に嵌るよう形状が設定され且つ配置される。この結果、ケーブルタイは、支持部材の凹んだ開口を通って両ケーブルタイバーの周囲を通過し、支持部材の支持面にケーブル又は電線の束を固定する。
【０００５】
支持面は、細長凹部の方向に延びる中央凹部と、その凹部のいずれかの側面の凸部とを有し、ケーブルタイバーは支持面を横切って延びるのが好ましい。
【０００６】
支持部材は、細長凹部がその縦方向に延び、その縦方向に対してケーブルタイバーが直角に延びた状態で、細長形状であることが好ましい。
【０００７】
支持部材は、その下面に１対の突起の突起を有し、対応する金具が下部分に係止するのが好ましい。これらの突起は、細長の凹部の対向する両端に配置されるのが好ましい。これらの突起は、適切な筒状の形状を有してもよい。
【０００８】
基部材も、その各端部に上方へ突出する形成物が摩擦又はスナップ嵌めで上部分の下方突起と係合した状態で、細長の形状をなすのが好ましい。好適には、基部材の上方へ突出する形成物は筒状凹部を画定し、その各々は電線チャネルの床に固定するためにベースを貫通する孔を取り囲む。
【０００９】
２部材支持装置の支持部材は、好適にサドル形状、すなわち一端から見て垂直方向の断面においてほぼ円弧状であることが好ましい。その表面は、中央の地点で最小の半径を有し、形状がケーブルタイバーと一致し、この半径がケーブルタイバーから離れる各縦方向に沿って徐々に大きくなる。支持部材の幅も、ケーブルタイバーから離れる各縦方向に沿って大きくなることが好ましい。
【図面の簡単な説明】
【００１０】
【図１】２部材が分離した状態の、本発明に係る２部材支持装置を上から見た斜視図である。
【図２】図１の装置の支持部材を下から見た斜視図である。
【図３】図１の装置の支持部材を示し、（Ａ）平面図、（Ｂ）側面図、（Ｃ）底面図、（Ｄ）端面図である。
【図４】図１の装置の基部材を示し、（Ａ）平面図、（Ｂ）側面図、（Ｃ）端面図である。
【図５】開放電線チャネル内に取り付けられた、本発明の第２実施形態に係る組立後の支持及び保持装置を示す斜視図である。
【図６】電線チャネルに取り付けられ、ケーブルタイにより保持された電線束を支持する、本発明に係る電線支持及び保持装置を部分断面した斜視図である。
【図７】電線チャネルに取り付けられた、本発明の別の実施形態に係る１対の支持及び保持装置の斜視図である。
【図８】図７のVIII−VIIIに沿った縦断面図である。
【発明を実施するための形態】
【００１１】
以下、添付図面を参照して、本発明の好適な実施形態を例示により説明する。
【００１２】
最初に図１ないし図４を参照すると、本発明に係るケーブル支持及び保持装置は、互いに嵌り、電線チャネル内に固定されるよう構成された支持部材１０及び基部材１２を具備する。両部材は、好適にはポリプロピレン等の適当なプラスチック材料製である。
【００１３】
支持部材１０は、狭い中央部２６及び広がった両端部２８を有する細長のほぼサドル形状である。支持部材１０の表面１４は、電線すなわちケーブルを支持し、支持装置上の電線に接触して潜在的には損傷を与え得るエッジがないように設計される。表面１４は、支持部材の縦軸の両側で下方に湾曲し、湾曲面の半径は、中央部２６で最も小さく、徐々に大きくなって端部２８で最大になる。
【００１４】
ケーブルタイ用の細長の凹部１６は、支持部材１０の中央部に沿って縦方向に延び、支持装置の中央を横切って延びるバー（ケーブルタイバー）１８により架橋される。凹部１６は、支持部材の表面の両端から互いに向かって下方へ延びる１対の斜面１５を有する。各斜面１５は、より急な傾斜部１７で終端する。２個の傾斜部１７は、バー１８の下の間隙１９により分離される。
【００１５】
図２に示される支持部材の下面には、一体に成形された補強縦リブ２２が設けられる。支持部材の下面の各端部は、基部材１２の対応する環状凹部３４と係合する環状下方突起２０である。
【００１６】
図２に見られるように、バー１８の下面２５は凹んでおり、基部材１２上の相手タイバー３０の対応する上凸面と係合する。
【００１７】
基部材１２は、端部が丸みを帯びた細長形状のベース４２を具備する。ベースの底面は、各端部４４で上面まで上方に湾曲し、ベースがケーブルチャネルの床を横切って嵌ることができるようにする。ケーブルチャネルは、内縁が対応して湾曲した端部を有する。
【００１８】
基部材はまた、縦に延びる直線的側面と平行し、半円形端部により連結され、床の端部の手前で終端する周囲壁３２を有する。
【００１９】
基部材は、壁３２の平行部の対向する底縁間でベース４２の対向する縁３６により区画された矩形の中央開口４５を有する。各縁３６は、下方に傾斜し、ベースの底面と共に端部を形成する。
【００２０】
開口４５の上には、ケーブルタイバー３０が基部材を横切って延びる。ケーブルタイバーの各端部は、壁３２の平行部分の一方に支持される。
【００２１】
基部材の床の各環状凹部３４の底には孔４０がある。孔は、後述するように基部材をケーブルチャネルの底に取り付けるためのものである。各凹部３４の内周壁に間隔を置いて配置されるのは、垂直リブ３５である。これにより、支持装置が組み立てられる際に、上部分の下方突起２０が基部材の環状凹部に圧入（摩擦嵌め）で係合する。ワッシャ１３は、支持部材の突起２０の下で環状凹部３４内に嵌まるために設けられる。
【００２２】
図１に見られるように、ケーブルタイバー１８の上面は丸みを帯びており、チャネル１６の各側には上部分の面部２３がチャネルの縁に向かって下方に湾曲し、支持装置にケーブルすなわち電線の表面が係合するシャープエッジが存在しないようにしている。
【００２３】
図５を参照すると、本発明に係る電線支持装置すなわちケーブル支持装置５２は、電線チャネル５０内に取り付けられる。このチャネルは開放型のチャネルであり、押出し成形されたアルミニウム等で適切に形成される。電線支持装置５２は、チャネル幅にわたって延びており、後に詳述されるように、リベット等でチャネルの床に固定される。電線支持装置は、支持部材の一端にチャネルの一側壁５５と平行に延びる一体成形された保護部５４を有する点を除き、基本的に図１ないし図４に描かれたものである。この保護部の目的は、ねじ頭等の固定具を覆うことである。保護部５４の内側を向く面は、チャネルに沿って延びる電線を損傷させるシャープエッジがないように、全て円滑かつ丸みを帯びている。
【００２４】
図６を参照すると、電線の束６５は、電線チャネル６０に沿って延びており、図１ないし図４に描かれたように支持及び保持装置１０，１２により支持される。装置を取り付けるために、最初に、基部材１２の孔４０がチャネルの床の孔６８と対応した状態で、基部材１２がチャネルの床を横切って配置される。ワッシャ１３は基部材の各凹部３４内に配置され、基部材及びワッシャは孔４０，６８を通るリベット６３により床に固定される。
【００２５】
次に、支持装置の支持部材１０が基部材に嵌められ、環状下方突起２０は圧入で凹部３４と係合する。
【００２６】
図６に見られるように、支持装置が取り付けられると、支持部材の凹部の下方傾斜面１７は、基部材の床の下方に傾斜する縁３６に隣接し、間隙４５の対向する両側で互いに向き合い、比較的滑らかな連続カム面を形成する。
【００２７】
電線束６５が支持装置の上部分の支持面１４に置かれ、タイバー１８が２本の隣接する電線間で上方へ突出し、電線束の位置決めを補助する。次に、ケーブルタイ６４の自由端がチャネル１６内に配置され、一方の下方傾斜面１５に係合し、上から押圧され、結合したタイバー１８，３０の下を通過し、チャネルの床６２を通って基部材の床の傾斜縁３６と係合する。この結果、ケーブルタイ６４の自由端は、さらに押圧されると、支持部材の凹部の反対側で傾斜面１７，１５まで摺動し、電線束の他側のチャネル１６から現れる。次に、ケーブルタイの２端が、図６に示されるように位置６６で固定できる。この固定位置では、ケーブルタイは、電線束を一緒に保持するのみならず、電線チャネルの床に固定された電線支持装置の支持部材及び基部材の双方に電線束を固定する。
【００２８】
電線支持装置の支持部材及び基部材のいずれか破損又は損傷した場合、又は他方から離れ始めた場合、電線束は、支持装置の支持部材及び基部材の少なくとも一方の部品に固定されたままである。というのは、ケーブルタイが双方のケーブルタイバーの周りを通っているからである。図６に示された位置では、ケーブルタイは実際には、電線束を一緒に保持すると共に、支持装置の２部材を保持する。
【００２９】
図７は、本発明に係る２個の電線支持装置１０，７０が実装された電線チャネル７５を示す。支持装置１０は図１ないし図４に示されたものと同一であり、図６に示されたように機能するので、さらに説明しない。支持装置７０は、本発明の別の実施形態に係るものであり、細長の矩形支持装置の一端に、細長の横チャネルが形成され、その上面はチャネルと平行な軸の周りに若干凹んでいる。
【００３０】
図７に破線で示された支持装置７０の下面には、ピン、リベット又は他の固定具を受容する、電線チャネルと平行な細長スロット７２がある。この固定具は、チャネルの縦方向にいくらかの遊びを有する。
【００３１】
支持装置７０は、１個の電線チャネルから次の電線チャネルまで架橋することに用いられる。その支持装置は、チャネル間の結合部を覆い、電線束をシャープエッジ等から保護する。
【００３２】
図７に示される支持装置７０の近い側の端部において、ケーブルタイ用に設けられたチャネル７６に隣接する横縁７４は、チャネル内の電線束を向くシャープエッジが内容に丸みを帯びている。
【００３３】
図８に示されるように、ケーブルタイチャネル７６を通る支持装置７０の縦断面は、図１ないし図６の実施形態のものと基本的に同じである。支持面上のケーブルタイバー８６は、基部材８０のバー８２を覆い、リベット８８によりチャネルの床に固定される。基部材８０は、図４に示されたものと同じにすることができる。一点鎖線９０は、支持装置の一側のチャネル７６の傾斜面８５を下り、チャネルの床を横切り、支持装置の上部分及び基部材により形成されたカム面まで延び、ケーブルタイバー８２，８６の他側に現れるケーブルタイの可能な経路を示す。
【符号の説明】
【００３４】
１０  支持部材
１２  基部材
１４  支持面
１６  細長凹部
１８  バー
２０  環状下方突起（環状突起）
３０  ケーブルタイバー
３４  環状凹部
４０  孔
４２  ベース
６０  電線チャネル（ケーブルチャネル）
６２  床
６３  リベット
６４  ケーブルタイ
６５  電線束
７０  支持装置
７５  電線チャネル（ケーブルチャネル）
８０  基部材
８２  ケーブルタイバー
８６  ケーブルタイバー
８８  リベット
【図１】
0006012734.tif 000002
【図２】
0006012734.tif 000003
【図３】
0006012734.tif 000004
【図４】
0006012734.tif 000005
【図５】
0006012734.tif 000006
【図６】
0006012734.tif 000007
【図７】
0006012734.tif 000008
【図８】
0006012734.tif 000009